(57)【要約】【課題】バーナ本体２を少なくとも横方向一側の外側から覆う側板３１を有するバーナキャップ３を備え、バーナ本体の一対の側板２１間に、上端の主炎口４と、主炎口に混合気を供給する主混合気通路５とが設けられ、キャップ側板３１と本体側板２１との間に、上端の袖火炎口７と、主混合気通路から本体側板に形成した通気孔８ａを介して分流される混合気を袖火炎口に供給する袖火混合気通路８とが設けられたバーナであって、キャップ側板の下部を本体側板の主混合気通路に合致する部分の外側面に重ね合わせるものにおいて、袖火混合気通路のシール性を向上できるようにする。【解決手段】本体側板２１のキャップ側板３１の下部が重ね合わされる部分に、横方向に絞り加工した第１絞り部９１を形成すると共に、キャップ側板３１の下部に、第１絞り部９１と嵌り合うように絞り加工した第２絞り部９２を形成する。【選択図】図２
2016070633.tif 000002
【特許請求の範囲】
【請求項１】
横方向に対峙する一対の側板を有するバーナ本体と、バーナ本体を少なくとも横方向一側の外側から覆う側板を有するバーナキャップとを備え、バーナ本体の両側板間に、上端の主炎口と、主炎口に混合気を供給する主混合気通路とが設けられ、バーナ本体とバーナキャップの側板との間に、上端の袖火炎口と、主混合気通路からバーナ本体の側板に形成した通気孔を介して分流される混合気を袖火炎口に供給する袖火混合気通路とが設けられたバーナであって、
袖火混合気通路より下方に位置するバーナキャップの側板の下部をバーナ本体の側板の主混合気通路に合致する部分の外側面に重ね合わせるものにおいて、
バーナ本体の側板に、バーナキャップの側板の下部が重ね合わされる部分に位置させて、横方向に絞り加工した第１絞り部が形成されると共に、バーナキャップの側板の下部に、第１絞り部と嵌り合うように、第１絞り部と同方向に絞り加工された第２絞り部が形成されることを特徴とするバーナ。
【請求項２】
前記第１と第２の両絞り部は、横方向内側に窪むように絞り加工されることを特徴とする請求項１記載のバーナ。
【発明の詳細な説明】
【技術分野】
【０００１】
本発明は、横方向に対峙する一対の側板を有するバーナ本体と、バーナ本体を少なくとも横方向一側の外側から覆う側板を有するバーナキャップとを備え、バーナ本体の両側板間に、上端の主炎口と、主炎口に混合気を供給する主混合気通路とが設けられ、バーナキャップの側板とバーナ本体の側板との間に、上端の袖火炎口と、主混合気通路からバーナ本体の側板に形成した通気孔を介して分流される混合気を袖火炎口に供給する袖火混合気通路とが設けられたバーナに関する。
【背景技術】
【０００２】
従来、この種のバーナにおいては、袖火混合気通路より下方に位置するバーナキャップの側板の下部をバーナ本体の側板の主混合気通路に合致する部分の外側面に重ね合わせている（例えば、特許文献１参照）。尚、バーナキャップの側板の下部をバーナ本体の側板の外側面に重ね合わせるだけでは、袖火混合気通路のシール性を確保することが困難であるため、バーナキャップの側板の下部をバーナ本体の側板にスポット溶接するものも知られている。
【０００３】
然し、スポット溶接個所から離れた部分では、バーナキャップの側板の下部がバーナ本体の側板に確実には密着せず、袖火混合気通路のシール性は然程向上しない。
【先行技術文献】
【特許文献】
【０００４】
【特許文献１】特開平８−７５１２４号公報
【発明の概要】
【発明が解決しようとする課題】
【０００５】
本発明は、以上の点に鑑み、袖火混合気通路のシール性を向上できるようにしたバーナを提供することをその課題としている。
【課題を解決するための手段】
【０００６】
上記課題を解決するために、本発明は、横方向に対峙する一対の側板を有するバーナ本体と、バーナ本体を少なくとも横方向一側の外側から覆う側板を有するバーナキャップとを備え、バーナ本体の両側板間に、上端の主炎口と、主炎口に混合気を供給する主混合気通路とが設けられ、バーナ本体とバーナキャップの側板との間に、上端の袖火炎口と、主混合気通路からバーナ本体の側板に形成した通気孔を介して分流される混合気を袖火炎口に供給する袖火混合気通路とが設けられたバーナであって、袖火混合気通路より下方に位置するバーナキャップの側板の下部をバーナ本体の側板の主混合気通路に合致する部分の外側面に重ね合わせるものにおいて、バーナ本体の側板に、バーナキャップの側板の下部が重ね合わされる部分に位置させて、横方向に絞り加工した第１絞り部が形成されると共に、バーナキャップの側板の下部に、第１絞り部と嵌り合うように、第１絞り部と同方向に絞り加工された第２絞り部が形成されることを特徴とする。
【０００７】
本発明によれば、バーナキャップの側板の下部とバーナ本体の側板との間に若干の隙間を生じても、この隙間は第１と第２の両絞り部間で横方向に屈曲するため、隙間の通気抵抗が大きくなり、袖火混合気通路のシール性が向上する。
【０００８】
また、本発明において、第１と第２の両絞り部は、横方向内側に窪むように絞り加工されることが望ましい。これによれば、第１絞り部が主混合気通路内に張り出して、主混合気通路内の混合気の流れに第１絞り部の下流側で渦を生じ、燃料ガスと一次空気との混合が促進される。
【図面の簡単な説明】
【０００９】
【図１】本発明の実施形態のバーナの斜視図。
【図２】図１のＩＩ−ＩＩ線で切断した拡大断面図。
【発明を実施するための形態】
【００１０】
図１、図２を参照して、１は、本発明の実施形態のバーナを示している。このバーナ１は、前後方向に長手であって、横方向に対峙する一対の側板２１，２１を有するバーナ本体２と、バーナ本体２を横方向両側の外側から覆う一対の側板３１，３１を有するバーナキャップ３とを備えている。
【００１１】
バーナ本体２の両側板２１，２１間には、上端の主炎口４と、主炎口４に混合気を供給する主混合気通路５とが設けられている。主炎口４は、両側板２１，２１の上端を繋ぐ上板２２に、前後方向の間隔を存して複数形成されている。また、バーナ本体２の下部には、前端の流入口６ａから後方にのびる混合管部６が形成されており、主混合気通路５は、混合管部６の後端部から前後方向に広がりながら上方にのびている。そして、流入口６ａから流入する燃料ガスと一次空気との混合気が混合管部６と主混合気通路５とを介して主炎口４に導かれるようにしている。また、主混合気通路５の上下方向中間部に横幅を狭めた狭窄部５ａを設けて、主混合気通路５における混合気のバーナ長手方向の分布の均一性を確保できるようにしている。尚、バーナ本体２の両側板２１，２１と上板２２は、一枚の板を折り曲げることで形成されている。
【００１２】
バーナ本体２の各側板２１とバーナキャップ３の各側板３１との間には、上端の袖火炎口７と、袖火炎口７に混合気を供給する袖火混合気通路８とが設けられている。袖火混合気通路８より下方に位置するバーナキャップ３の各側板３１の下部は、狭窄部５ａより少許上方の主混合気通路５の部分に合致するバーナ本体２の各側板２１の部分に重ね合わされている。
【００１３】
また、バーナ本体２の各側板２１には、バーナキャップ３の各側板３１の下部が重ね合わされる部分より上方に位置させて、主混合気通路５と袖火混合気通路８とを連通する通気孔８ａが前後方向の間隔を存して複数形成されている。そして、主混合気通路５からこれら通気孔８ａを介して分流される混合気が袖火混合気通路８を介して袖火炎口７に供給され、袖火炎口７上に形成される袖火により主炎口４上に形成される主炎が保炎されるようにしている。また、バーナキャップ３の各側板２１に、袖火混合気通路８の横幅を狭める凹部２１ａを形成して、袖火混合気通路８における混合気のバーナ長手方向の分布の均一性を確保できるようにしている。尚、バーナキャップ３は、両側板３１，３１の上端を前後複数箇所で繋ぐブリッジ部３２を有している。
【００１４】
ところで、バーナキャップ３の側板３１の下部を単純にバーナ本体２の側板２１の外側面に重ね合わせるだけでは、袖火混合気通路８のシール性を確保することは困難である。そこで、本実施形態では、バーナ本体２の側板２１に、バーナキャップ３の側板３１の下部が重ね合わされる部分に位置させて、横方向に絞り加工した第１絞り部９１を形成すると共に、バーナキャップ３の側板３１の下部に、第１絞り部９１と嵌り合うように、第１絞り部９１と同方向に絞り加工された第２絞り部９２を形成している。尚、第１と第２の両絞り部９１，９２を横方向外側に窪むように絞り加工することも可能であるが、本実施形態では、両絞り部９１，９２を横方向内側に窪むように絞り加工している。
【００１５】
これによれば、バーナキャップ３の側板３１の下部とバーナ本体２の側板２１との間に若干の隙間を生じても、この隙間は第１と第２の両絞り部９１，９２間で横方向に屈曲するため、隙間の通気抵抗が大きくなり、袖火混合気通路８のシール性が向上する。また、両絞り部９１，９２を横方向内側に窪むように絞り加工するため、第１絞り部９１が主混合気通路５内に張り出して、主混合気通路５内の混合気の流れに第１絞り部９１の下流側で渦を生じ、燃料ガスと一次空気との混合が促進される。
【００１６】
以上、本発明の実施形態について図面を参照して説明したが、本発明はこれに限定されない。例えば、第１と第２の両絞り部９１，９２を嵌め合せた状態で両絞り部９１，９２をバーナ長手方向の一部でスポット溶接してもよい。
【００１７】
また、上記実施形態のバーナキャップ３は、バーナ本体２を横方向両側から覆う一対の側板３１，３１を有しているが、バーナ本体２を横方向一側の外側から覆う側板のみを有するものであってもよい。更に、上記実施形態では、バーナ本体２の上板２２に主炎口４を形成しているが、上板２２を省略して、バーナ本体２の両側板２１，２１の上端間の隙間で主炎口を構成することも可能である。
【符号の説明】
【００１８】
１…バーナ、２…バーナ本体、２１…バーナ本体の側板、３…バーナキャップ、３１…バーナキャップの側板、４…主炎口、５…主混合気通路、７…袖火炎口、８…袖火混合気通路、８ａ…通気孔、９１…第１絞り部、９２…第２絞り部。
【図１】
2016070633.tif 000003
【図２】
2016070633.tif 000004